(57)【要約】【課題】本発明は、カウンターとシンクやボールなどの凹状体との接着層の見え掛かり幅を極力狭くすると共に、使用者側から見える接着層を目立ち難くさせる人工大理石カウンターを提供しつつ、シンクやボールなどの凹状体内に貯留した湯水が凹状体側壁からカウンター上面側に溢れ出ることを防止でき、カウンターの開口部分側壁及びシンクやボールなどの凹状体内壁への汚れ防止を図り、清掃性を良好にできる人工大理石カウンターとその製造方法の提供を目的とする。【解決手段】本発明は、開口部を有する人工大理石カウンターの開口部の下側に、人工大理石シンクやボールなどの凹状体を該凹状体の上面側開口部を前記カウンターの開口部に位置合わせして配置してなる人工大理石カウンターであって、カウンターの開口部内縁全周に凹状体の上端開口部内縁より内側に突出するせり出し部が形成され、該せり出し部の下に下向きの斜面が形成されたことを特徴とする。【選択図】図４
2012183167.tif 000002
【特許請求の範囲】
【請求項１】
開口部を有する人工大理石カウンターの前記開口部の下側に、人工大理石シンクやボールなどの凹状体を該凹状体の上面側開口部を前記カウンターの開口部に位置合わせして配置してなる人工大理石カウンターであって、前記カウンターの開口部内縁全周に前記凹状体の上端開口部内縁より内側に突出するせり出し部が形成され、該せり出し部の下に下向きの斜面が形成されたことを特徴とする人工大理石カウンター。
【請求項２】
前記せり出し部の上部側に前記カウンターの開口部の最も内側に突出する突き出し部が形成され、該突き出し部の下部から前記凹状体の上端開口部内面にかけて連続するように前記斜面が形成されたことを特徴とする請求項１に記載の人工大理石カウンター。
【請求項３】
前記せり出し部の上部側に前記カウンターの開口部の最も内側に突出する突き出し部が形成され、該突き出し部の下部から前記凹状体の上端開口部内面にかけて横断面円弧状に連続するように前記斜面が形成されたことを特徴とする請求項１に記載の人工大理石カウンター。
【請求項４】
開口部を有する人工大理石カウンターの前記開口部の下側に、人工大理石シンクやボールなどの凹状体であって、前記カウンターの開口部よりも小さな開口部を有する凹状体を前記カウンターの開口部に凹状体の開口部を位置合わせし、凹状体の開口部上端よりカウンターの開口部内縁が内側にせり出すように接合し、この後、せり出し部分を削って前記凹状体の開口部上端より内側に突出するせり出し部を残しつつ、前記カウンターの開口部内縁全周にわたり下向きとなる斜面を形成することを特徴とする人工大理石カウンターの製造方法。
【請求項５】
前記せり出し部分を削る際、カウンターの開口部内縁のうち、上部側をせり出し部として残し下側に斜面を形成するように削ることを特徴とする請求項４に記載の人工大理石カウンターの製造方法。
【請求項６】
前記せり出し部分を削る際、カウンターの開口部内縁のうち、上部側をせり出し部として残すと同時に凹状体の上端開口部も含めて断面円弧状の斜面の一部となるように削ることを特徴とする請求項４に記載の人工大理石カウンターの製造方法。
【発明の詳細な説明】
【技術分野】
【０００１】
本発明は、開口部を有する人工大理石カウンターに人工大理石シンクやボールなどの凹状体を配置してなる人工大理石カウンター及びその製造方法に関するものである。
【背景技術】
【０００２】
従来、人工大理石カウンターに人工大理石シンクやボールなどの凹状体を設ける場合、カウンターに設けた開口外縁部の周縁下面にシンクやボールの開口上縁面を接着剤や取付金具を用いて固定している。この場合、加工精度、成形公差、接合技術等の理由から、シンクやボールの開口内縁部よりカウンターの開口部の形状を小さくしている。
【０００３】
具体的には、下記特許文献１の第３図に開示されている技術では、シンクやボールの開口内縁部よりカウンターの開口内縁部の形状を小さくして、カウンターの開口内縁部をシンクやボール内にオーバーハングさせて（せり出させて）いる。しかし、カウンターの張り出した部分の周縁下面に汚れが付着及び残存しやすく、不衛生になり易く、この張り出した部分の周縁下面は、清掃もし難いという問題があった。
そこで、下記特許文献１の第２図に開示されている技術では、シンクやボールの開口内縁部とカウンター開口内縁部の形状を一致させて接着している。しかし、特許文献１の第２図に開示されている技術では、シンクやボールあるいはカウンターの加工精度、成形公差、接合技術等から考慮した場合に、高度な加工技術と接合技術が求められ、仕上がりの安定性及び作業効率に問題点があった。例えば、成形公差が大きい場合に仕上がりを良くしようとすると、作業時間が長くかかり、逆に、作業時間を短縮すると、仕上がり具合がばらつく問題がある。
【０００４】
また、下記特許文献２の図３に開示されている技術は、シンクやボールの開口内縁部よりカウンターの開口内縁部の形状を小さくして、カウンターをシンクやボール内にオーバーハングさせて（せり出させて）接着した後に、カウンターの開口内縁部と接着剤層とシンクやボールの開口内縁部上方を面取り加工して仕上げている。しかし、特許文献２の図３に開示されている技術では、面取り加工がカウンター開口上面方向に対して開放方向とされているので、シンクやボール内に貯留した湯水等がシンクやボール側壁からカウンター上面に溢れやすくなり、又、面取り加工の方向に伴い、使用者に見える接着層の幅が接着層を垂直に切断した場合より広がるために、より目立つ等の問題点があった。
【先行技術文献】
【特許文献】
【０００５】
【特許文献１】実開平２−１０７３８９号公報
【特許文献２】特開平１１−１２３１１４号公報
【発明の概要】
【発明が解決しようとする課題】
【０００６】
上記特許文献１に記載されている技術を適用すれば、カウンターの開口内縁部をシンクやボール内にオーバーハングさせた（せり出させた）構造を有するカウンターを供給することができる。しかしながら、上記特許文献１に記載されている技術では、カウンターの張り出し部分の周縁下面の汚れの付着や清掃性等の問題があり、衛生的で清掃しやすいカウンターを提供するまでに至っていなかった。
上記特許文献２に記載されている技術を適用すれば、カウンターの開口内縁部とシンクやボールの開口内縁部との間にオーバーハングのないカウンターを供給することができる。しかしながら、上記特許文献２に記載されている技術では、シンクやボール内に貯留した湯水がシンクやボール側壁からカウンター上面に溢れ出ることを防止することや、接着層を目立たなくする外観を提供するまでには至っていなかった。
【０００７】
そこで本発明は、カウンターの開口部にシンクやボールなどの凹状体を取り付けてなる人工大理石カウンターであって、カウンターとシンクやボールなどの凹状体との接着層の見え掛かり幅を極力狭くすると共に、使用者側から見える接着層を目立ち難くさせる人工大理石カウンターを提供しつつ、シンクやボールなどの凹状体内に貯留した湯水が凹状体側壁からカウンター上面側に溢れ出ることを防止できると共に、カウンターの開口部分側壁及びシンクやボールなどの凹状体内壁の汚れ防止を図り、清掃性を良好にできる人工大理石カウンター及びその製造方法の提供を目的とする。
【課題を解決するための手段】
【０００８】
本発明は、上記課題を解決するために以下の構成を有する。
本発明の人工大理石カウンターは、開口部を有する人工大理石カウンターの前記開口部の下側に、人工大理石シンクやボールなどの凹状体を該凹状体の上面側開口部を前記カウンターの開口部に位置合わせして配置してなる人工大理石カウンターであって、前記カウンターの開口部内縁全周に前記凹状体の上端開口部内縁より内側に突出するせり出し部が形成され、該せり出し部の下に下向きの斜面が形成されたことを特徴とする。
本発明の人工大理石カウンターにおいて、前記せり出し部の上部側に前記カウンターの開口部の最も内側に突出する突き出し部が形成され、該突き出し部の下部から前記凹状体の上端開口部内面にかけて連続するように前記斜面が形成された構成を採用できる。
本発明の人工大理石カウンターにおいて、前記突き出し部が前記カウンターの開口部内縁の上端部に形成され、前記突き出し部の下に形成されている斜面が前記カウンターの厚さ方向全体にわたり形成された構成を採用できる。
【０００９】
本発明の人工大理石カウンターの製造方法は、開口部を有する人工大理石カウンターの前記開口部の下側に、人工大理石シンクやボールなどの凹状体であって、前記カウンターの開口部よりも小さな開口部を有する凹状体を前記カウンターの開口部に凹状体の開口部を位置合わせし、凹状体の開口部上端よりカウンターの開口部内縁が内側にせり出すように接合し、この後、せり出し部分を削って前記凹状体の開口部上端より内側に突出するせり出し部を残しつつ、前記カウンターの開口部内縁全周にわたり下向きとなる斜面を形成することを特徴とする。
本発明の人工大理石カウンターの製造方法において、前記せり出し部分を削る際、カウンターの開口部内縁のうち、上部側をせり出し部として残し、下部側を斜面とするように削ることができる。
本発明の人工大理石カウンターの製造方法において、前記せり出し部分を削る際、カウンターの開口部内縁のうち、上部側をせり出し部として残すと同時に凹状体の上端開口部も含めて横断面円弧状の斜面の一部となるように削ることができる。
【発明の効果】
【００１０】
本発明によれば、カウンターの開口部にシンクやボールなどの凹状体を取り付けてなる人工大理石カウンターであって、カウンターとシンクやボールなどの凹状体との接着層の見え掛かり幅を極力狭くできると共に、使用者側から見える接着層を目立ち難くした人工大理石カウンターを提供できる。更に、シンクやボールなどの凹状体内に貯留した湯水がシンクやボールの凹状体側壁からカウンター上面側に溢れることを防止できると共に、カウンターの開口部分内面及びシンクやボールなどの凹状体内面への汚れ防止性と清掃性が良好な人工大理石カウンターを提供することができる。
また、カウンターと凹状体の境界にある接着層の部分が斜面に沿って下向きとなるので、使用者側から見た接着層の断面幅は狭くなり、接着層を目立たなくすることができる。このため、従来構造よりも接着層の厚み公差を大きくできるようになり、その分、接着層の厚みを均一にする作業時間の短縮ができ、作業性が向上する。
【００１１】
本発明において、カウンター開口部の内側に突き出し部を有し、その下に凹状体の上端開口部内面にかけて連続する斜面を有しているならば、上述の効果を備えた上に、カウンターの開口部内面と接着層と凹状体上端開口部とを段差無く連続させることができ、カウンターと凹状体の接合部分の収まりを良好にできる。
また、凹状体の内側で使用した湯水を突き出し部の下の斜面に沿って流下させて凹状体に円滑に戻すことができるので、カウンターの開口部内面と接着層と凹状体上端開口部の接合部分に汚れを付着させるおそれを少なくできる。
本発明において、カウンターの開口部内面と接着層と凹状体上端開口部に至る横断面円弧状の斜面を形成するならば、これらの接合部分において段差の目立たない構造を提供できる効果がある。
【００１２】
本発明の製造方法によれば、上述のせり出し部と斜面とを有する人工大理石カウンターを製造することができる。
また、本発明の製造方法において、せり出し部として残すと同時に凹状体の上端開口部も含めて横断面円弧状の斜面の一部となるように研削することにより、カウンターと接着層と凹状体の接合部分に段差の生じていない滑らかな接合部を有する人工大理石カウンターを提供できる。
また、このように段差のない滑らかな接合部を有する人工大理石カウンターであれば、カウンターと接着層と凹状部の接合部分に汚れが付着し難く、衛生的な人工大理石カウンターを提供できる。
【図面の簡単な説明】
【００１３】
【図１】本発明に係る第１実施形態の人工大理石カウンターであって凹状体を取り付けた状態の一例を示す斜視図である。
【図２】同第１実施形態の人工大理石カウンターであって凹状体を取り付ける前の状態を示す斜視図である。
【図３】同第１実施形態の人工大理石カウンターであって凹状体を取り付けて研削加工する部分を示した要部拡大断面図である。
【図４】同第１実施形態の人工大理石カウンターであって研削加工した後の状態を示し、図１のＡ１−Ａ２線に沿う部分断面図である。
【図５】本発明に係る第２実施形態の人工大理石カウンターであって凹状体を取り付けて研削加工する部分を示した要部拡大断面図である。
【図６】同第２実施形態の人工大理石カウンターであって研削加工した後の状態を示す部分断面図である。
【図７】従来の人工大理石カウンターにおける第１の例を示す部分断面図。
【図８】従来の人工大理石カウンターにおける第２の例を示す部分断面図。
【図９】従来の人工大理石カウンターにおける第３の例の加工状態を示す部分断面図。
【図１０】従来の人工大理石カウンターにおける第３の例の加工後の状態を示す部分断面図。
【発明を実施するための形態】
【００１４】
以下に本発明に係る第１実施形態の人工大理石カウンターについて説明する。なお、この第１実施形態は、発明の趣旨をより良く理解させるために具体的に説明するものであり、特に指定のない限り、本発明を限定するものではない。
図１〜図４は、本発明に係わる人工大理石カウンターの第１実施形態を説明するための図であり、この人工大理石カウンターＡは、人工大理石により形成されたカウンター板１の下面側に人工大理石により形成されたシンクやボールなどの凹状体２を接合させてなり、台所や洗面化粧台等に据え付けて用いられるものである。
図１、図２に示す如くカウンター板１は横長の長方形状の板状に構成され、カウンター板１の左端部側にカウンター板１の奥行きより若干小さい奥行きであり、横長の長方形状の開口部３が形成されている。カウンター板１の奥側端には水返し用の起立片１ａがカウンター板１の全幅にわたり形成され、カウンター板１の手前側端には下向きの前縁１ｂがカウンター板１の全幅にわたり形成されている。
【００１５】
カウンター板１の開口部３の下には人工大理石で構成されたシンクやボールなどの凹状体２が一体に接合されている。この実施形態の凹状体２は、平面視略長方形状の底壁部２ａと底壁部２ａの各辺から一体に立設された周壁部２ｂとからなる角型のシンク状に形成されている。凹状体２の周壁部２ｂの上端部には外向きに延出するフランジ状の上周縁部２ｃが形成され、上周縁部２ｃの上面２ｅは平面状に形成されている。
凹状体２の周壁部２ｂはその上端開口部２ｄの形状をカウンター板１の開口部３に合致するような大きさに形成されている。即ち、図４に示す如く凹状体２の上端開口部２ｄの位置とカウンター板１の開口部３の位置を合わせることでカウンター板１の開口部３の下側に凹状体２の上端開口部２ｄが連続されている。また、凹状体２の上端開口部２ｄの位置とカウンター板１の開口部３の位置を合わせることでカウンター板１の開口部３の周縁下面側に凹状体２の上周縁部２ｃの上面２ｅが当接され、この当接部分に設けられている接着層７を介してカウンター板１に凹状体２が接着されている。
【００１６】
図３はカウンター板１に凹状体２を接合した状態を示し、図４はカウンター板１と凹状体２の接合部を研削加工した後の状態を示す。
図４に示す如く加工後の人工大理石カウンターＡにあっては、カウンター板１の開口部内縁全周に前記凹状体２の上端開口部２ｄの内縁より内側に突出するせり出し部６が形成され、該せり出し部６の下側に下向きの斜面９が形成されている。
せり出し部６においては、その上部側に前記カウンター板１の開口部３の最も内側に突出する突き出し部６ａが形成され、該突き出し部６ａの下側から前記凹状体２の上端開口部２ｄの内面にかけて連続するように斜面９が形成されている。突き出し部６の先端側表面はＲが付けられた湾曲面とされ、図４に示す実施形態において斜面９は平面状に形成され、その下縁を接着層７の露出部分に連続させている。
図４に示す実施形態では、突き出し部６ａが前記カウンターの開口部３の内縁の上端側に形成され、前記突き出し部６ａの下に形成されている斜面９が接着層７に達するように形成されているが、斜面９の下に露出している接着層７の表面部分も斜面９に沿うような斜面とされている。
【００１７】
図４に示す構造を得るためには、一例として、せり出し部６を形成していない状態のカウンター板１に対し凹状体２を接合する。即ち、図３に示す如くカウンター板１に対して開口部３の内周縁４が直角に形成されている状態のカウンター板１を用い、カウンター板１の開口部３に凹状体２の開口部を位置合わせし、内周縁４がカウンター板１の開口部３の内側に所定長さ突き出すように配置し、カウンター板１の裏面側に接着層７を用いて凹状体２の上面２ｅを接着する。ここで、接着したカウンター板１の加工前の内周縁４を伴っている状態の開口部３は凹状体２の上端開口部２ｄよりも内径が小さく、内周縁４の部分は図３の２点鎖線に示す如く凹状体２の上端開口部２ｄよりも内側にせり出されている。
この状態から、開口部３の内側にオーバーハングした（せり出した）内周縁４の部分を図３に示す如く傾斜する平面状の切断面８に沿って切断し、図４に示す斜面９を形成する。この斜面９の形成後、カウンター板１の開口部３の上端側を曲面を有するようにＲ加工（曲面研削加工）すると図４に示す斜面９を備えた表面を湾曲面とした突き出し部６ａを得ることができる。
【００１８】
図４に示す如くカウンター板１の開口部３の内周面に突き出し部６ａが形成され、突き出し部６ａの下部側に下向きの斜面９が形成されたカウンター板１の構造であると、凹状体２の内部で湯水を使用した場合、その湯水がカウンター板１の上面側に飛び出すおそれがある場合であっても、下向きの斜面９を備えた突き出し部６ａが障壁となるので、カウンター板１の上面側に湯水が飛び出すことを抑制できる。
即ち、突き出し部６ａを備えたせり出し部６が形成されているので、凹状体２の内部で使用している湯水あるいは凹状体２の内部に溜めた湯水が凹状体２の周壁部２ｂに当たり、カウンター板１の上面側に溢れることを防止できる効果がある。更に、カウンター板１と凹状体２との接合部の段差を無くすることにより、汚れが付きにくく清掃性が良好な人工大理石カウンターＡを提供できる。特に、凹状体２の周壁部２ｂを洗浄する場合、シャワー等で凹状体２の周壁部２ｂを洗い流す場合があるが、シャワーから放出した湯水がカウンター板１の上面側に溢れることを防止できる。
【００１９】
また、斜面９は下向きであり、その上にせり出し部６が形成されているため、斜面９の下側に露出する接着層７の部分を使用者の側から目隠しすることができ、接着層７の部分の見え掛かり部分の幅を狭くできるので、目立たなくすることができる。また、斜面９は下向きに傾斜しているので、斜面９の清掃も容易にできる。
よって、図４に示す構造であると、カウンター板１と凹状体２の境界に位置する接着層７の見え掛かり幅を極力狭くして目立たなくできると共に、接着層７を目立ち難くさせるカウンターを提供しつつ、凹状体２内に貯留した湯水が凹状体２側からカウンター板１の上面側に溢れることを防止すると共に、カウンター板１の開口部３の内周縁部分及び凹状体２の内面の汚れ防止と清掃性が良好な人工大理石カウンターＡを提供できる。
【００２０】
図５と図６は、本発明に係る第２実施形態の人工大理石カウンターを説明するためのもので、カウンター板１０と凹状体２の接合部分を図５に示す横断面視円弧状の切断面８Ａに沿って研削加工することにより、図６に示す横断面円弧形状の研削部分を有する人工大理石カウンターＢを提供できる。
図５に示す如くカウンター板１の下面に接着層７を介し凹状体２の上周縁部２ｃを接着した後、円弧状の切断面８Ａに沿って開口部３の内側にオーバーハングした（せり出した）カウンター板１の内周縁４の部分を含め、凹状体２の上端開口部２ｄの部分まで至るように凹曲面状に研削加工することで、せり出し部１６を形成し、その下に下向きの横断面円弧状の斜面９Ａと該斜面９Ａに続く斜面９Ｂを形成する。また、せり出し部１６の上端部を曲面加工（Ｒ加工）することにより凹曲面状の斜面９Ａを有する突き出し部１６ａを備えたせり出し部１６を得ることができる。
なお、本実施形態では接着層７の切断面を下向きとすることが好ましいので、切断面８Ａが接着層７の部分を切断する面が下向きとなるような大きさの半径とすることが好ましい。図６の例では斜面９Ａと接着層７の切断面と斜面９Ｂの上部側がいずれも下向きとなるような半径の切断面８Ａとされている。
【００２１】
図６に示す構造によれば、カウンター板１と凹状体２の境界の接着層７の端面が凹状体２の内側に向いて下向きに傾斜している（下向きの凹曲面となって傾斜している）ので、使用者側から見た接着層７の断面幅は小さくなり、その上、境界層７の断面の上に、せり出し部１６が設けられているので、接着層７の部分を目立たなくすることができる。そのため、従来よりも接着層７の厚み交差を大きくすることが可能となり、接着層７の厚みを均一に調整する作業時間の短縮を図ることができる。
【００２２】
また、カウンター板１の開口部３にせり出し部１６が形成されているので、凹状体２の内部で使用している湯水あるいは凹状体２の内部に溜めた湯水が凹状体２の周壁部２ｂに当たり、カウンター板１の上面側に溢れることを防止する効果がある。更に、カウンター板１と凹状体２との接合部の段差を無くすることにより、汚れが付きにくく清掃性が良好な人工大理石カウンターＢを提供できる。特に、凹状体２の周壁部２ｂを洗浄する場合、シャワー等で凹状体２の周壁部２ｂを洗い流す場合、シャワーから放出した湯水がカウンター板１の上面側に溢れることを防止できる。
【００２３】
以上説明した第１、第２実施形態の人工大理石カウンターＡ、Ｂに対し、図７に示す構造は、カウンター板２１の開口部２３の形状をシンクやボールなどの凹状体２２の開口内縁部２６よりも小さく形成し、カウンター板２１の凹状体２２の内側にせり出し部２４を有するようにオーバーハングさせて接着層２７により接着した例を示す。
この構造では、カウンター板２１に凹状体２２を接合する際に、加工精度、成形交差などを考慮する必要がないため、容易に凹状体２２を接合できる。ところが、この構造では、せり出し部２４の周縁下面に汚れが付着し易く、汚れが残留し易いので、不衛生となりやすく、かつ、せり出し部２４の周縁下面側の清掃も容易ではないという問題がある。
【００２４】
図７に示す構造の問題を解決するためには、図８に示す如く、カウンター板３１の下に接着層３７を介し凹状体３２を接合した構造において、凹状体３２の上端開口部３６とカウンター板３１の開口部３３の内周縁部３４とを面一に連続するように一致させる構造が有望である。ところが、図８に示す構造では加工精度、成形公差などから考慮すると、高度な加工技術と接合技術が求められるので、仕上がりの安定性及び作業性に問題を生じる。
【００２５】
図８に示す接合構造の課題を解決するためには、図９に示す如く、カウンター板４１の開口部４３の下に凹状体４２を接着層４７により接合した構造において、カウンター板４１の開口部４３の形状を凹状体４２の上端開口部４６よりも小さく形成し、カウンター板４１の内周縁部４４を凹状体４２の内側に突き出すように接合した後、切断面４８に沿って研削加工することが考えられる。この結果、図１０に示す如くカウンター板４１と接着層４７と凹状体４２にかけて上向きの斜面４９を備えた接合構造とすることができる。
しかし、図１０に示す構造では斜面４９が上向きであり、カウンター板４１の上面方向に開放する方向となっているので、凹状体４２の内側に貯留した湯水等が凹状体４２の周壁側からカウンター板４１の上面側に漏れやすい。また、斜面４９に沿って露出する接着層４７の見え掛かり幅が斜面４９が垂直面である場合よりも拡がるので、接着層４７の存在が目立つ問題がある。
以上説明の図７〜図１０に示す構造の問題点を全て解決し、図７〜図１０に示す構造が有する利点については兼ね備えた構造として、先に説明した図１〜図６に示す第１実施形態と第２実施形態の構造を提供できる。
【符号の説明】
【００２６】
Ａ…人工大理石カウンター、１…カウンター板、１ａ…起立片、１ｂ…前縁、２…凹状体、２ａ…底壁部、２ｂ…周壁部、２ｃ…上周縁部、２ｄ…上端開口部、２ｅ…上面、３…開口部、４…内周部、６…せり出し部、６ａ…突き出し部、７…接着層、８、８Ａ…切断面、９、９Ａ、９Ｂ…斜面、１０…カウンター板、１６…せり出し部、１６ａ…突き出し部、
２１…カウンター板、２２…凹状体、２３…開口部、２４…せり出し部、２６…開口内縁部、
２７…接着層、３１…カウンター板、３２…凹状体、３３…開口部、３４…内周縁部、３６…上端開口部、３７…接着層、４１…カウンター板、４２…凹状体、４３…開口部、４４…内周縁部、４６…上端開口部、４７…接着層、４８…切断面、４９…斜面。
【図１】
2012183167.tif 000003
【図２】
2012183167.tif 000004
【図３】
2012183167.tif 000005
【図４】
2012183167.tif 000006
【図５】
2012183167.tif 000007
【図６】
2012183167.tif 000008
【図７】
2012183167.tif 000009
【図８】
2012183167.tif 000010
【図９】
2012183167.tif 000011
【図１０】
2012183167.tif 000012